(57)【要約】【課題】作品作成時のような手間をかけずに、スライドショー画面やＢＧＭを付加したり、画像や音楽、スライドショーの各種効果を選択すること。【解決手段】音楽データ、画像データ、テンプレートデータを記憶する記憶メモリ１５と、記憶されているデータのうち例えば音楽データが選択されたとき、選択された音楽データに付随する音楽属性と、例えば画像データのそれぞれに付随する画像属性をもとに、１つ又は複数の画像データを記憶メモリ１５から抽出するとともに、音楽属性と、テンプレートデータのそれぞれに付随するテンプレート属性をもとに、１つ又は複数のテンプレートデータを記憶メモリ１５から抽出する情報処理部１３とを具備する。【選択図】        図１
2006107193.tif 000002
【特許請求の範囲】
【請求項１】
複数の第１種類のデータと複数の第２種類のデータと、複数の第３種類のデータとを記憶する記憶手段と、
前記記憶手段に記憶されている前記第１種類のデータを選択するためのデータ選択部と、
前記データ選択部で選択した第１種類のデータに付随する第１の属性情報と、前記第２種類のデータのそれぞれに付随する第２の属性情報をもとに、１つ又は複数の第２種類のデータを前記記憶手段から抽出する第１の抽出手段と、
前記第１の属性情報と、前記第３種類のデータのそれぞれに付随する第３の属性情報をもとに、１つ又は複数の第３種類のデータを前記記憶手段から抽出する第２の抽出手段と、
を具備することを特徴とする情報処理装置。
【請求項２】
前記第２の抽出手段は、
前記第２の属性情報と、前記第３の属性情報とをもとに、１つ又は複数の第３種類のデータを前記記憶手段から抽出することを特徴とする請求項１に記載の情報処理装置。
【請求項３】
前記第１の抽出手段で抽出した第２種類のデータの数が０であった場合には、前記記憶手段に記憶された第２種類のデータからランダムに抽出することを特徴とする請求項１又は２に記載の情報処理装置。
【請求項４】
前記第２の抽出手段で抽出した第３種類のデータの数が０であった場合には、前記記憶手段に記憶された第３種類のデータからランダムに抽出することを特徴とする請求項１または２に記載の情報処理装置。
【請求項５】
前記第１種類のデータ、第２種類のデータ、第３種類のデータは、それぞれ音楽データ又は画像データ又は音楽データ及び画像データを時系列的に関連付けるテンプレートデータであって、それぞれ異なる種類のデータであることを特徴とする請求項１から４のいずれか１つに記載の情報処理装置。
【請求項６】
音楽及び画像を再生する再生手段をさらに有し、
前記再生手段は、前記選択又は抽出されたテンプレートデータに基づいて、前記選択又は抽出された音楽及び画像を再生することを特徴とする請求項５に記載の情報処理装置。
【請求項７】
複数の第１種類のデータと、複数の第２種類のデータと、複数の第３種類のデータとを記憶する記憶手段を有する情報処理装置で動作する情報処理プログラムであって、
前記記憶手段に記憶されている前記第１種類のデータを選択するデータ選択ステップと、
前記データ選択ステップで選択した第１種類のデータに付随する第１の属性情報と、前記第２種類のデータのそれぞれに付随する第２の属性情報をもとに、１つ又は複数の第２種類のデータを前記記憶手段から抽出する第１の抽出ステップと、
前記第１の属性情報と、前記第３種類のデータのそれぞれに付随する第３の属性情報をもとに、１つ又は複数の第３種類のデータを前記記憶手段から抽出する第２の抽出ステップと、
を有することを特徴とする情報処理プログラム。
【請求項８】
前記第２の抽出ステップは、
前記第２の属性情報と、前記第３の属性情報をもとに、１つ又は複数の第３種類のデータを前記記憶手段から抽出することを特徴とする請求項７に記載の情報処理プログラム。
【請求項９】
前記第１の抽出ステップで抽出した第２種類のデータの数が０であった場合には、前記記憶手段に記憶された第２種類のデータからランダムに抽出することを特徴とする請求項７または８に記載の情報処理プログラム。
【請求項１０】
前記第２の抽出ステップで抽出した第３種類のデータの数が０であった場合には、前記記憶手段に記憶された第３種類のデータからランダムに抽出することを特徴とする請求項７または８に記載の情報処理プログラム。
【請求項１１】
前記第１種類のデータ、第２種類のデータ、第３種類のデータは、それぞれ音楽データ又は画像データ又は音楽データ及び画像データを時系列的に関連付けるテンプレートデータであって、それぞれ異なる種類のデータであることを特徴とする請求項７から１０のいずれか１つに記載の情報処理プログラム。
【請求項１２】
音楽及び画像を再生する再生手段をさらに有し、
前記再生手段は、前記選択又は抽出されたテンプレートデータに基づいて、前記選択又は抽出された音楽及び画像を再生することを特徴とする請求項５に記載の情報処理プログラム。
【請求項１３】
複数の第１種類のデータと、複数の第２種類のデータと、複数の第３種類のデータとを記憶する記憶手段を有する情報処理装置で動作するプログラムを記録したコンピュータ読み取り可能な記録媒体であって、前記プログラムは、
前記記憶手段に記憶されている前記第１種類のデータを選択するデータ選択ステップと、
前記データ選択ステップで選択した第１種類のデータに付随する第１の属性情報と、前記第２種類のデータのそれぞれに付随する第２の属性情報をもとに、１つ又は複数の第２種類のデータを前記記憶手段から抽出する第１の抽出ステップと、
前記第１の属性情報と、前記第３種類のデータのそれぞれに付随する第３の属性情報をもとに、１つ又は複数の第３種類のデータを前記記憶手段から抽出する第２の抽出ステップと、
を有することを特徴とする記録媒体。
【発明の詳細な説明】
【技術分野】
【０００１】
本発明は、情報処理装置、情報処理プログラム、並びに記録媒体に関する。
【背景技術】
【０００２】
従来、画像データの集合をアルバムとして楽しむために、画像データをスライド表示するスライドショーが知られている。このようなスライドショーには音声を付加したものや、音声再生に合わせてスライド画像を表示するものがある。この場合、音声や画像あるいは画像表示の各種効果はユーザにより選択される。特開２００３−３０９８１５号公報は、このようなスライドショーを開示している。
【特許文献１】特開２００３−３０９８１５号公報
【発明の開示】
【発明が解決しようとする課題】
【０００３】
種々のスライドショーを作品として作成する場合にはユーザにより選択する方法が適切であるが、音楽再生中のＰＣの画面が殺風景に思えるときや、画像閲覧中にＢＧＭ（バックグラウンドミュージック）として付加したいだけの場合には、作品作成時のような手間をかけたくない、というニーズがあった。
【０００４】
本発明は、このような課題に着目してなされたものであり、その目的とするところは、作品作成時のような手間をかけずに、スライドショー画面やＢＧＭを付加したり、画像や音楽、スライドショーの各種効果を選択可能にすることである。
【課題を解決するための手段】
【０００５】
上記の目的を達成するために、本発明の第１の態様は、複数の第１種類のデータと複数の第２種類のデータと、複数の第３種類のデータとを記憶する記憶手段と、前記記憶手段に記憶されている前記第１種類のデータを選択するためのデータ選択部と、前記データ選択部で選択した第１種類のデータに付随する第１の属性情報と、前記第２種類のデータのそれぞれに付随する第２の属性情報をもとに、１つ又は複数の第２種類のデータを前記記憶手段から抽出する第１の抽出手段と、前記第１の属性情報と、前記第３種類のデータのそれぞれに付随する第３の属性情報をもとに、１つ又は複数の第３種類のデータを前記記憶手段から抽出する第２の抽出手段と、を具備する。
【０００６】
また、本発明の第２の態様は、第１の態様において、前記第２の抽出手段は、前記第２の属性情報と、前記第３の属性情報とをもとに、１つ又は複数の第３種類のデータを前記記憶手段から抽出する。
【０００７】
また、本発明の第３の態様は、第１または第２の態様において、前記第１の抽出手段で抽出した第２種類のデータの数が０であった場合には、前記記憶手段に記憶された第２種類のデータからランダムに抽出する。
【０００８】
また、本発明の第４の態様は、第１または第２の態様において、前記第２の抽出手段で抽出した第３種類のデータの数が０であった場合には、前記記憶手段に記憶された第３種類のデータからランダムに抽出する。
【０００９】
また、本発明の第５の態様は、第１から第４のいずれか１つの態様において、前記第１種類のデータ、第２種類のデータ、第３種類のデータは、それぞれ音楽データ又は画像データ又は音楽データ及び画像データを時系列的に関連付けるテンプレートデータであって、それぞれ異なる種類のデータである。
【００１０】
また、本発明の第６の態様は、第５の態様において、音楽及び画像を再生する再生手段をさらに有し、前記再生手段は、前記選択又は抽出されたテンプレートデータに基づいて、前記選択又は抽出された音楽及び画像を再生する。
【００１１】
また、本発明の第７の態様は、複数の第１種類のデータと、複数の第２種類のデータと、複数の第３種類のデータとを記憶する記憶手段を有する情報処理装置で動作するプログラムであって、前記記憶手段に記憶されている前記第１種類のデータを選択するデータ選択ステップと、前記データ選択ステップで選択した第１種類のデータに付随する第１の属性情報と、前記第２種類のデータのそれぞれに付随する第２の属性情報をもとに、１つ又は複数の第２種類のデータを前記記憶手段から抽出する第１の抽出ステップと、前記第１の属性情報と、前記第３種類のデータのそれぞれに付随する第３の属性情報をもとに、１つ又は複数の第３種類のデータを前記記憶手段から抽出する第２の抽出ステップと、を有する。
【００１２】
また、本発明の第８の態様は、第７の態様において、前記第２の抽出ステップは、前記第２の属性情報と、前記第３の属性情報をもとに、１つ又は複数の第３種類のデータを前記記憶手段から抽出する。
【００１３】
また、本発明の第９の態様は、第７または第８の態様において、前記第１の抽出ステップで抽出した第２種類のデータの数が０であった場合には、前記記憶手段に記憶された第２種類のデータからランダムに抽出する。
【００１４】
また、本発明の第１０の態様は、第７または第８の態様において、前記第２の抽出ステップで抽出した第３種類のデータの数が０であった場合には、前記記憶手段に記憶された第３種類のデータからランダムに抽出する。
【００１５】
また、本発明の第１１の態様は、第７から第１０のいずれか１つの態様において、前記第１種類のデータ、第２種類のデータ、第３種類のデータは、それぞれ音楽データ又は画像データ又は音楽データ及び画像データを時系列的に関連付けるテンプレートデータであって、それぞれ異なる種類のデータである。
【００１６】
また、本発明の第１２の態様は、第５の態様において、音楽及び画像を再生する再生手段をさらに有し、前記再生手段は、前記選択又は抽出されたテンプレートデータに基づいて、前記選択又は抽出された音楽及び画像を再生する。
【００１７】
また、本発明の第１３の態様において、複数の第１種類のデータと、複数の第２種類のデータと、複数の第３種類のデータとを記憶する記憶手段を有する情報処理装置で動作するプログラムを記録したコンピュータ読み取り可能な記録媒体であって、前記プログラムは、前記記憶手段に記憶されている前記第１種類のデータを選択するデータ選択ステップと、前記データ選択ステップで選択した第１種類のデータに付随する第１の属性情報と、前記第２種類のデータのそれぞれに付随する第２の属性情報をもとに、１つ又は複数の第２種類のデータを前記記憶手段から抽出する第１の抽出ステップと、前記第１の属性情報と、前記第３種類のデータのそれぞれに付随する第３の属性情報をもとに、１つ又は複数の第３種類のデータを前記記憶手段から抽出する第２の抽出ステップと、を有する。
【発明の効果】
【００１８】
本発明によれば、作品作成時のような手間をかけずに、スライドショー画面やＢＧＭを付加したり、画像や音楽、スライドショーの各種効果を選択することができる。
【発明を実施するための最良の形態】
【００１９】
以下、図面を参照して本発明の実施形態を詳細に説明する。
【００２０】
図１は、本発明が適用されるＰＣや携帯端末などで構成される情報処理装置の概略構成を示すブロック図である。本情報処理装置は、画像データや選択画面などを表示するための表示部１０と、音楽データを再生するための音声再生部１１と、ユーザが何らかの指示やデータを入力したり選択するための操作入力部１２と、後述する抽出処理を含む種々の処理を行う情報処理部１３と、音楽データ、画像データ、さらに音楽データと画像データとを時系列的に関連付けるためのテンプレートデータとを記憶する情報メモリ１５と、音楽データ及び画像データの再生を行うのに必要なプログラムを格納するプログラム格納部１４とから構成される。上記した各部はシステムバス１６により接続されている。
【００２１】
本実施形態では、ユーザにより選択された音楽、画像、あるいはテンプレート等のコンテンツに付随する属性情報を用いて他のコンテンツを自動的に抽出して、それらの選択又は抽出された音楽や画像を同じく選択又は抽出されたテンプレートで定義されている手順に従って再生することを特徴とする。図２は、ユーザによる選択を可能にする表示画面の一例を示す図である。表示画面の上方には、スライドショー設定エリア２０３が設けられており、テンプレート名表示部２０２、曲名表示部２０１、音楽再生時間表示部２０４、画像フレーム表示時間表示部２０７、テンプレート２００を含む。テンプレート２００には複数の画像フレーム２０６が配置されており、各画像フレーム２０６には画像を表示する上での種々の効果を表すパターンが配置されている。さらに、画像フレーム２０６をスクロールするためのスクロールバー２１３が設けられている。
【００２２】
また、スライドショー設定エリア２０３の下方には、複数のテンプレートを表示可能なテンプレート選択エリア２０８と、複数の音楽（曲）を表示可能な音楽選択エリア２０９と、複数のインデックス画像２１１を表示可能な画像選択エリア２１０が設けられている。
【００２３】
さらに、テンプレート選択エリア２０８内のテンプレート、音楽選択エリア２０９内の音楽、画像選択エリア２１０内のインデックス画像２１１をスクロールするためのスクロールバー２１５、２１４、２１２がそれぞれ設けられている。
【００２４】
ユーザは図２の画面を見て、所望の音楽、画像あるいはテンプレートをクリック操作により選択することができる。また、画像選択エリア２１０内の特定のインデックス画像２１１をテンプレート２００内の任意の画像フレーム２０６にドラッグアンドドロップすると、画像フレーム２０６の順番位置に当該インデックス画像２１１が登録される（図３（Ａ））。
【００２５】
ここで、図３（Ａ）を参照して各画像フレーム２０６内に配置された各パターン２０６−１〜２０６−７について説明する。ここでのパターン２０６−１〜２０６−７は、最初に黒い部分に画像が表示され、次第に明るい部分を含むように画像が拡大、縮小、移動する効果をもっている。具体的には、パターン２０６−１は、画像が下から上へと表示される効果を持つ。パターン２０６−２は、画像が左斜め上から右斜め下へと表示される効果をもつ。パターン２０６−３は、画像が右から左へと表示される効果を持つ。パターン２０６−４は、画像が中央位置から上下方向へと表示される効果を持つ。パターン２０６−５は、パターン２０６−２と同様の効果を持つ。パターン２０６−６は、中央位置から周囲全方向へと拡大表示される効果を持つ。パターン２０６−７は、画像が右斜め上から左斜め下へと表示される効果をもつ。
【００２６】
上記したような効果を用いることにより、スライドショーの再生時において、画像を単純に表示させるのではなく、流れるように表示させたり、下から上に表示させたりすることができる。
【００２７】
図３（Ｂ）は、インデックス画像がパターン２０６−１の効果をもつ画像フレーム２０６にドラッグアンドドロップされることによって、スライドショーの再生時に画像が下から上に逐次表示されていく、という例を示している。
【００２８】
図４は、ユーザの選択に対してとり得る自動抽出の具体例を示す図である。ユーザにより選択される項目としてここでは音楽（曲）、画像、テンプレートを考える。例えば、ユーザにより音楽が選択された場合には、第１抽出として、（１）音楽属性（キーワード、曲のジャンル、曲のタイトル、アーチスト名など）と画像属性（キーワード、撮影年月日など）を用いて画像を抽出する、（２）音楽属性とテンプレート属性（キーワード、テンプレート名など）を用いてテンプレートを抽出する、方法が考えられる。第１抽出で画像が抽出された場合、第２抽出では、（１）音楽属性とテンプレート属性を用いてテンプレートを抽出する、（２）画像属性とテンプレート属性を用いてテンプレートを抽出する、（３）音楽属性と画像属性とテンプレート属性を用いてテンプレートを抽出する、方法が考えられる。また、第１抽出でテンプレートが抽出された場合、第２抽出では、（１）音楽属性と画像属性を用いて画像を抽出する、（２）テンプレート属性と画像属性を用いて画像を抽出する、（３）音楽属性とテンプレート属性と画像属性を用いて画像を抽出する、方法が考えられる。
【００２９】
次にユーザにより画像が選択された場合には、第１抽出として、（１）画像属性と音楽属性を用いて音楽を抽出する、（２）画像属性とテンプレート属性を用いてテンプレートを抽出する、方法が考えられる。第１抽出で音楽が抽出された場合、第２抽出では、（１）画像属性とテンプレート属性を用いてテンプレートを抽出する、（２）音楽属性とテンプレート属性を用いてテンプレートを抽出する、（３）音楽属性と画像属性とテンプレート属性を用いてテンプレートを抽出する、方法が考えられる。また、第１抽出でテンプレートが抽出された場合、第２抽出では、（１）画像属性と音楽属性を用いて音楽を抽出する、（２）テンプレート属性と音楽属性を用いて音楽を抽出する、（３）画像属性とテンプレート属性と音楽属性を用いて音楽を抽出する、方法が考えられる。
【００３０】
次にユーザによりテンプレートが選択された場合には、第１抽出として、（１）テンプレート属性と音楽属性を用いて音楽を抽出する、（２）テンプレート属性と画像属性を用いて画像を抽出する、方法が考えられる。第１抽出で音楽が抽出された場合、第２抽出では、（１）テンプレート属性と画像属性を用いて画像を抽出する、（２）音楽属性と画像属性を用いて画像を抽出する、（３）テンプレート属性と音楽属性と画像属性を用いて画像を抽出する、方法が考えられる。また、第１抽出で画像が抽出された場合、第２抽出では、（１）テンプレート属性と音楽属性を用いて音楽を抽出する、（２）画像属性と音楽属性を用いて音楽を抽出する、（３）テンプレート属性と画像属性と音楽属性を用いて音楽を抽出する、方法が考えられる。
【００３１】
図５は、第１実施形態に係る情報処理の全体の動作を示すフローチャートである。図５は、ユーザが図２の表示画面を見て音楽選択エリア２０９から特定の音楽を選択した場合の処理フローを示している。特定の曲が選択されたことを検出すると（ステップＳ１）、この選択された曲を特定する（ステップＳ２）。次に、選択された曲の属性情報、例えばキーワード、曲のジャンル、曲のタイトル、アーチスト名を特定する（ステップＳ３）。次に、複数種類のテンプレートの中から対応するテンプレートを抽出する（ステップＳ４）。次に、対応する画像を抽出する（ステップＳ５）。次に、抽出したテンプレート情報をもとに、曲と画像を組み合わせて再生する（ステップＳ６）。
【００３２】
図６は、図５のステップＳ４のテンプレートの抽出の詳細を説明するためのフローチャートである。まず、選択された曲のキーワードと一致するキーワードを有するテンプレートがあるかどうかを判断する（ステップＳ１１）。ここでＮＯの場合には、曲のタイトルと一致するキーワードを有するテンプレートがあるかどうかを判断する（ステップＳ１２）。ここでＮＯの場合には曲のアーチスト名と一致するキーワードを有するテンプレートがあるかどうかを判断する（ステップＳ１３）。ここでＮＯの場合には曲のジャンル名と一致するキーワードを有するテンプレートがあるかどうかを判断する（ステップＳ１４）。ここでＮＯの場合にはテンプレートを１つランダムに情報メモリ１５から選択して（ステップＳ１５）、テンプレートの抽出を終了する（ステップＳ１９）。
【００３３】
一方、ステップＳ１１、Ｓ１２、Ｓ１３、Ｓ１４のいずれかの判断がＹＥＳであった場合にはステップＳ１６に進んで一致したテンプレートを情報メモリ１５より抽出する。次に一致したテンプレートは１つかどうかを判断する（ステップＳ１７）。ここでの判断がＹＥＳの場合にはステップＳ１９に進んでテンプレートの抽出を終了する。また、ステップＳ１７の判断がＮＯの場合には複数のテンプレートが抽出されているのでその中から１つをランダムに選択し（ステップＳ１８）、ステップＳ１９に進んでテンプレートの抽出を終了する。
【００３４】
図７は、図５のステップＳ５の画像の抽出の詳細を説明するためのフローチャートである。まず、曲のキーワードと一致するキーワードを有する画像があるか否かを判断する（ステップＳ２１）。ここでＮＯの場合には、曲のタイトルと一致するキーワードを有する画像があるかどうかを判断する（ステップＳ２２）。ここでＮＯの場合には曲のアーチスト名と一致するキーワードを有する画像があるか否かを判断する（ステップＳ２３）。ここでＮＯの場合には曲のジャンル名と一致するキーワードを有する画像はあるかどうかを判断する（ステップＳ２４）。ここでＮＯの場合には曲のリリース年と同じ年に撮影された画像があるかどうかを判断する（ステップＳ２５）。ここでＮＯの場合には画像を複数ランダムに情報メモリ１５から抽出して（ステップＳ２６）、画像の抽出を終了する（ステップＳ３０）。
【００３５】
一方、ステップＳ２１、Ｓ２２、Ｓ２３、Ｓ２４、Ｓ２５のいずれかの判断がＹＥＳであった場合にはステップＳ２７に進んで一致した画像を情報メモリ１５より抽出する。次に一致した画像の数がステップＳ４で選択されたテンプレート中の画像フレーム数以下かどうかを判断する（ステップＳ２８）。ここでの判断がＹＥＳの場合にはステップＳ３０に進んでテンプレートの抽出を終了する。また、ステップＳ２８の判断がＮＯの場合には、抽出された複数の画像からランダムに、ステップＳ４で選択されたテンプレート中の画像フレーム数と同じ数だけ選択し（ステップＳ２９）、ステップＳ３０に進んで画像の抽出を終了する。
【００３６】
以上が最初に音楽が選択され、次にその選択された音楽の属性情報とテンプレートの属性情報によりテンプレートを１つ抽出し、次に音楽の属性情報と画像の属性情報により画像をテンプレート中の画像フレーム以下の数だけ抽出する場合の例である。ここで画像数がテンプレート中の画像フレームより少ない場合が許されるのは、スライドショー再生時に画像が繰り返し再生されるからである。
【００３７】
図８は、第２実施形態に係る情報処理の全体の動作を示すフローチャートである。図８は、ユーザが図２の表示画面を見て画像選択エリア２１０から特定のインデックス画像２１１を選択した場合の処理フローを示している。特定のインデックス画像２１１が選択されたことを検出すると（ステップ３１）、この選択されたインデックス画像に対応する画像を特定する（ステップＳ３２）。次に、選択された画像の属性情報、例えばキーワード、撮影年月日を特定する（ステップＳ３３）。次に、複数種類の曲の中から対応する曲を抽出する（ステップＳ３４）。次に、対応するテンプレートを抽出する（ステップＳ３５）。次に、抽出したテンプレート情報をもとに、曲と画像を組み合わせて再生する（ステップＳ３６）。
【００３８】
図９は、図８のステップＳ３４の曲の抽出の詳細を説明するためのフローチャートである。まず、選択された画像のキーワードと一致するキーワードを有する曲があるかどうかを判断する（ステップＳ４１）。ここでＮＯの場合には、選択された画像が撮影された年にリリースされた曲はあるかどうかを判断する（ステップＳ４２）。ここでＮＯの場合には曲１つをランダムに情報メモリ１５から抽出して（ステップＳ４３）、曲の抽出を終了する（ステップＳ４７）。
【００３９】
一方、ステップＳ４１またはＳ４２の判断がＹＥＳの場合にはステップＳ４４に進んで一致した曲を情報メモリ１５より抽出する。次に一致した曲は１つかどうかを判断する（ステップＳ４５）。ここでの判断がＹＥＳの場合にはステップＳ４７に進んで曲の抽出を終了する。また、ステップＳ４５の判断がＮＯの場合には複数の曲が抽出されているのでその中から１つをランダムに選択し（ステップＳ４６）、ステップＳ４７に進んで曲の抽出を終了する。
【００４０】
図１０は、図８のステップＳ３５のテンプレートの抽出の詳細を説明するためのフローチャートである。まず、画像のキーワードと一致するキーワードを有するテンプレートがあるか否かを判断する（ステップＳ５１）。ここでＮＯの場合には、曲のキーワードと一致するキーワードを有するテンプレートがあるか否かを判断する（ステップＳ５２）。ここでＮＯの場合には曲のタイトルと一致するキーワードを有するテンプレートがあるかどうかを判断する（ステップＳ５３）。ここでＮＯの場合には曲のアーチスト名と一致するキーワードを有するテンプレートがあるか否かを判断する（ステップＳ５４）。ここでＮＯの場合には曲のジャンル名と一致するキーワードを有するテンプレートがあるかどうかを判断する（ステップＳ５５）。ここでＮＯの場合にはテンプレートを１つランダムに情報メモリ１５から抽出して（ステップＳ５６）、テンプレートの抽出を終了する（ステップＳ６０）。
【００４１】
一方、ステップＳ５１、Ｓ５２、Ｓ５３、Ｓ５４、Ｓ５５のいずれかの判断がＹＥＳであった場合にはステップＳ５７に進んで一致したテンプレートを情報メモリ１５より抽出する。次に一致したテンプレートは１つかどうかを判断する（ステップＳ５８）。ここでの判断がＹＥＳの場合にはステップＳ６０に進んでテンプレートの抽出を終了する。また、ステップＳ５８の判断がＮＯの場合には複数のテンプレートが抽出されているのでその中から１つをランダムに選択し（ステップＳ５９）、ステップＳ６０に進んでテンプレートの抽出を終了する。
【００４２】
上記のように、ユーザが画像を選択する第２実施形態におけるテンプレートの抽出では、画像の属性は多くは存在しないので、ユーザが選択した画像の属性のみならず、その後の処理で抽出される音楽の属性を用いている。
【００４３】
以上が最初に画像が選択され、次にその選択された画像の属性情報と音楽の属性情報により音楽を１つ抽出し、次に選択した画像の属性情報及び抽出した音楽の属性情報とテンプレートの属性情報によりテンプレートを１つ抽出する場合の例である。
【００４４】
なお、第１の実施の形態および第２の実施の形態においては、選択された画像や音楽などに付随する属性情報の１つが、抽出する画像や音楽などに付随する属性情報と一致するものをピックアップしていたが、それぞれの属性情報の一部が一致するようにしてもよい。
【００４５】
上記した実施形態によれば、作品作成時のような手間をかけずに、スライドショー画面やＢＧＭを付加したり、画像や音楽、スライドショーの各種効果を選択することができる。
【図面の簡単な説明】
【００４６】
【図１】本発明が適用されるＰＣや携帯端末などで構成される情報処理装置の概略構成を示すブロック図である。
【図２】ユーザによる選択を可能にする表示画面の一例を示す図である。
【図３】（Ａ）はインデックス画像の登録について説明するための図であり、（Ｂ）はスライドショーの再生時に付加された効果に従ってインデックス画像が表示される一例を示す図である。
【図４】ユーザの選択に対してとり得る自動抽出の具体例を示す図である。
【図５】第１実施形態に係る情報処理の全体の動作を示すフローチャートである。
【図６】図５のステップＳ４のテンプレートの抽出の詳細を説明するためのフローチャートである。
【図７】図５のステップＳ５の画像の抽出の詳細を説明するためのフローチャートである。
【図８】第２実施形態に係る情報処理の全体の動作を示すフローチャートである。
【図９】図８のステップＳ３４の曲の抽出の詳細を説明するためのフローチャートである。
【図１０】図８のステップＳ３５のテンプレートの抽出の詳細を説明するためのフローチャートである。
【符号の説明】
【００４７】
１０  表示部
１１  音声再生部
１２  操作入力部
１３  情報処理部
１４  プログラム格納部
１５  情報メモリ
２００  テンプレート
２０３  スライドショー設定エリア
２０６  画像フレーム
２０８  テンプレート選択エリア
２０９  音楽選択エリア
２１０  画像選択エリア
【図１】
2006107193.tif 000003
【図２】
2006107193.tif 000004
【図３】
2006107193.tif 000005
【図４】
2006107193.tif 000006
【図５】
2006107193.tif 000007
【図６】
2006107193.tif 000008
【図７】
2006107193.tif 000009
【図８】
2006107193.tif 000010
【図９】
2006107193.tif 000011
【図１０】
2006107193.tif 000012